(57)【要約】【課題】荷物を運ぶ際の負担を軽減することができ、狭い場所で使用可能であり、左右の安定性が良く、携帯性に優れる荷物移動補助ベルトを提供する。【解決手段】首・うなじを介し、左右の肩から荷物を提げる荷物移動補助ベルトであって、ベルト本体１０と、ベルト本体１０の両端に設けられたフック２０と、ベルト本体１０に設けられたアジャスター３０とを具備することを特徴とする。また、ベルト本体１０の中央近傍に堅尺部４０が設けられていることを特徴とする。【選択図】図１
2006051207.tif 000002
【特許請求の範囲】
【請求項１】
首・うなじを介し、左右の肩から荷物を提げる荷物移動補助ベルトであって、ベルト本体と、該ベルト本体の両端に設けられたフックとを具備することを特徴とする荷物移動補助ベルト。
【請求項２】
前記ベルト本体の中央近傍に堅尺部が設けられていることを特徴とする請求項１記載の荷物移動補助ベルト。
【請求項３】
前記ベルト本体は２枚のベルト片がその縁を縫い合わされて形成され、前記堅尺部は前記２枚のベルト片の間に挟まれていることを特徴とする請求項１又は請求項２記載の荷物移動補助ベルト。
【請求項４】
前記堅尺部には止孔が設けられ、該止孔に前記ベルト本体が挿通されていることを特徴とする請求項１乃至請求項３のいずれかに記載の荷物移動補助ベルト。
【請求項５】
前記ベルト本体の中央近傍には肩部が設けられ、該肩部は平面視において幅が広く形成されていることを特徴とする請求項１乃至請求項４のいずれかに記載の荷物移動補助ベルト。
【請求項６】
前記ベルト本体の中央近傍には肩部が設けられ、該肩部は平面視において幅が狭く形成されていることを特徴とする請求項１乃至請求項５のいずれかに記載の荷物移動補助ベルト。
【請求項７】
前記フックは返し部を有することを特徴とする請求項１乃至請求項６のいずれかに記載の荷物移動補助ベルト。
【請求項８】
前記フックは略コの字状を成していることを特徴とする請求項１乃至請求項７のいずれかに記載の荷物移動補助ベルト。
【請求項９】
前記フックは、前記ベルト本体を挿通するベルト挿通孔を有し、先端部からベルト挿通孔にまで至るスリットが設けられていることを特徴とする請求項１乃至請求項８のいずれかに記載の荷物移動補助ベルト。
【請求項１０】
前記フックは、一本の線材を折り曲げて、ベルト本体を挿通するベルト挿通孔から先端部に至るように形成されていることを特徴とする請求項１乃至請求項８のいずれかに記載の荷物移動補助ベルト。
【請求項１１】
前記先端部は離間していることを特徴とする請求項１０に記載の荷物移動補助ベルト。
【発明の詳細な説明】
【技術分野】
【０００１】
本発明は、特に荷物を運搬する際等に用いられる荷物移動補助ベルトの技術に属する。
【背景技術】
【０００２】
荷物を運搬する際、手で持ち上げたまま長時間運搬するのは困難である。これを鑑みて、従来より片方の肩に掛けて使用する荷物移動補助ベルトが提供されている。
【特許文献１】特開平１１−１７８６２７号公報
【発明の開示】
【発明が解決しようとする課題】
【０００３】
しかしながら、従来技術には以下に掲げる問題点があった。
まず、一方の肩のみに掛ける構成であるため、左右のバランスが悪いという欠点があった。また、両側で荷物を運ぶ際には荷物移動補助ベルトが２つ必要であった。さらに、一方のみに掛ける構成であるため、荷物の重さで肩からずれやすく、不安定であった。
本発明は斯かる問題点を鑑みてなされたものであり、その目的とするところは、上記問題点を解決できる技術を提供する点にある。
【課題を解決するための手段】
【０００４】
本発明は上記課題を解決すべく、以下に掲げる構成とした。
請求項１記載の発明の要旨は、首・うなじを介し、左右の肩から荷物を提げる荷物移動補助ベルトであって、ベルト本体と、該ベルト本体の両端に設けられたフックとを具備することを特徴とする荷物移動補助ベルトに存する。
請求項２記載の発明の要旨は、前記ベルト本体の中央近傍に堅尺部が設けられていることを特徴とする請求項１記載の荷物移動補助ベルトに存する。
請求項３記載の発明の要旨は、前記ベルト本体は２枚のベルト片がその縁を縫い合わされて形成され、前記堅尺部は前記２枚のベルト片の間に挟まれていることを特徴とする請求項１又は請求項２記載の荷物移動補助ベルトに存する。
請求項４記載の発明の要旨は、前記堅尺部には止孔が設けられ、該止孔に前記ベルト本体が挿通されていることを特徴とする請求項１乃至請求項３のいずれかに記載の荷物移動補助ベルトに存する。
請求項５記載の発明の要旨は、前記ベルト本体の中央近傍には肩部が設けられ、該肩部は平面視において幅が広く形成されていることを特徴とする請求項１乃至請求項４のいずれかに記載の荷物移動補助ベルトに存する。
請求項６記載の発明の要旨は、前記ベルト本体の中央近傍には肩部が設けられ、該肩部は平面視において幅が狭く形成されていることを特徴とする請求項１乃至請求項５のいずれかに記載の荷物移動補助ベルトに存する。
請求項７記載の発明の要旨は、前記フックは返し部を有することを特徴とする請求項１乃至請求項６のいずれかに記載の荷物移動補助ベルトに存する。
請求項８記載の発明の要旨は、前記フックは略コの字状を成していることを特徴とする請求項１乃至請求項７のいずれかに記載の荷物移動補助ベルトに存する。
請求項９記載の発明の要旨は、前記フックは、前記ベルト本体を挿通するベルト挿通孔を有し、先端部からベルト挿通孔にまで至るスリットが設けられていることを特徴とする請求項１乃至請求項８のいずれかに記載の荷物移動補助ベルトに存する。
請求項１０記載の発明の要旨は、前記フックは、一本の線材を折り曲げて、ベルト本体を挿通するベルト挿通孔から先端部に至るように形成されていることを特徴とする請求項１乃至請求項８のいずれかに記載の荷物移動補助ベルトに存する。
請求項１１記載の発明の要旨は、前記先端部は離間していることを特徴とする請求項１０に記載の荷物移動補助ベルト。
【発明の効果】
【０００５】
本発明はベルト本体の両端にフックを設けたことにより、左右両方に荷物を掛けられるため、安定性が向上する。また、２つの荷物を両側で運ぶ際にも１つの荷物移動補助ベルトで足りる。
【発明を実施するための最良の形態】
【０００６】
以下、本発明の実施の形態を図面に基づいて詳細に説明する。
図１及び図２に示すように、本実施の形態に係る荷物移動補助ベルトはベルト本体１０と、ベルト本体１０の両端に設けられたフック２０と、ベルト本体１０に設けられたアジャスター３０とを具備している。
【０００７】
まず、ベルト本体１０について説明する。ベルト本体１０は皮、合成皮、化学繊維布、合成樹脂、等で、細長く形成されている。ベルト本体１０の両端は、フック２０に設けられたベルト挿通孔２０ａに挿通され、折り返されて縫製等により固定されている。またベルト本体１０は、アジャスター３０に設けられた２つのベルト孔３０ａ，３０ａに挿通され、長さ調節可能に構成されている。
【０００８】
ついで、フック２０について説明する。フック２０はプラスチック・金属等により構成されている。図３に示すように、ベルト本体１０が挿通されるベルト挿通孔２０ａが形成されている。ベルト挿通孔２０ａの幅は、ベルト本体１０（図１に示す）を通しやすくするため、ベルト本体１０の幅より広く構成されている。
側面図におけるベルト挿通孔２０ａの下には、略円弧状に湾曲させられた湾曲部２０ｂが形成されている。先端部２０ｃには返し部２０ｄを有している。したがって、一度掛けた荷物がはずれるのを防止することができる。
【０００９】
ついで、アジャスター３０について、図１及び図２に従って説明する。アジャスター３０はプラスチック等により平面視において略長方形に形成され、左右に１つずつベルト孔３０ａが設けられている。ベルト孔３０ａにはベルト本体１０が、アジャスター３０を境にして一方が二重に他方が一重になるように通されている。したがって、ベルト本体１０に対するアジャスター３０の位置を調整することにより、一重の部分と二重の部分を調整して長さを決定することができる。
【００１０】
次に、本実施の形態にかかる荷物移動補助ベルトを用いた方法を説明する。
まず、アジャスター３０を本体１０に相対移動させて長さを調節する。
ついで、ベルト本体１０の両端に設けられたそれぞれのフック２０に運搬する荷物を掛ける。
ついで図４に示すように、ベルト本体１０が首・うなじを介して左右両肩の腹側を通り、両端が手付近に位置するようにしてベルト本体１０を掛ける。先にベルト本体１０を首から肩に掛けて持ち上げて、その後フック２０に荷物を固定しても良い。
【００１１】
本実施の形態に係る荷物移動補助ベルトは上記の如く構成されているので、以下に掲げる効果を奏する。
ベルト本体１０を首・うなじから肩に掛けて、荷物を背負う構成であるため、ビールケース等の重量があるものでも、手で運ぶ場合と比べて楽に運ぶことができるという効果が得られる。また、両端にフック２０を設けたことにより左右両方に荷物を取り付けて運ぶことができるため安定する。また、首・うなじを介して両肩の腹側に掛けて使用するため、肩幅程度の狭い場所であっても使用可能である。両側にフックを設けたことにより、一つの荷物移動補助ベルトで複数の荷物を運ぶことができる。
【００１２】
なお、本発明の構成部材の数、位置、形状等は上記実施の形態に限定されず、本発明を実施する上で好適な数、位置、形状等にすることができる。
また、本発明に係る荷物移動補助ベルトは、日常生活における買い物袋等の荷物を運ぶ際の補助として適用可能であり、運送業者等による運搬作業の補助としても適用可能である。
なお、各図において、同一構成要素には同一符号を付している。
【００１３】
図５に示すように、ベルト本体１０の中央付近に堅尺部４０を設けても良い。堅尺部４０はベルト本体１０の長手方向中央近傍に固定されている。ベルト本体１０が２枚のベルト片により二重に構成されて、その縁が縫い合わされている。この２枚のベルト片の間に堅尺部４０が挟まれて固定されている。堅尺部４０に止穴を設け、止穴にベルト本体１０を挿通させることにより固定しても良い。
堅尺部４０は曲げ剛性の高い素材、例えば鉄等の金属、プラスチック等の合成樹脂等によって、肩幅より少し短い３０ｃｍ程度に構成されている。図６に示すような「てこ」の原理によって、左右の荷物の重さが異なる場合にも対応することができる。したがって、上記効果の他に、首・うなじの中心に当接する部分から堅尺部４０の端までの距離に荷物の重さを乗じた値が左右で等しくなるように堅尺部４０を位置させることにより、左右のバランスが良くなり、安定性が増すという効果がある。
【００１４】
また、図７及び図８に示すようにベルト本体１０に肩部５０を設けても良い。肩部５０は平面視においてベルト本体１０より幅が広く構成されており、首・うなじ、肩に掛かる負荷を分散することができる。平面視において略楕円形の一部がつぶれて内側に湾曲している。さらに上下の辺の曲率半径が異なるように構成されている。このように構成することにより、図９に示すように曲率半径の小さい方を首・うなじに、曲率半径の大きい方を両肩にかけて、当接させることにより、首・うなじから肩の形状に合わせることができる。肩部５０の首・うなじに当接する面はクッション等の柔らかい素材で構成されている。
肩部５０を、平面視においてベルト本体１０より幅が狭くなるように構成してもよい。このように構成すると、肩に掛ける際によれないという効果がある。
【００１５】
上記実施の形態において、板状の部材を湾曲させて形成したフック２０について説明したが、図１０に示すように、側面視において略コの字状に構成しても良い。フック２１にはベルト挿通孔２１ａが設けられている。対向する２片の間隔は部材の厚みより僅かに大きく構成されている。このように構成することにより、二つのフックを図１１に示すように嵌め併せることができる。したがって、コンパクトに収納でき、携帯性に優れるという効果がある。
また、上記実施の形態に係るフック２０，２１には、先端からベルト挿通孔２０ａ，２１ａにまで至るスリットを設けることもできる（図示せず）。先端のスリットの間にベルト本体１０を通すことによりベルト本体１０の着脱を容易に行うことができる。
また、図１２に示すように、一本の線材を折り曲げて、前記ベルト本体１０（図１に示す）を挿通する挿通孔２２ａから先端部２２ｃに至るようフック２２を形成することもできる。さらに、先端部２２ｃを離間させることもできる。斯かる構成により、先端部２２ｃからベルト本体１０を抜き、別々に携帯することも可能である。
【図面の簡単な説明】
【００１６】
【図１】本実施の形態にかかる荷物移動補助ベルトの平面図である。
【図２】本実施の形態にかかる荷物移動補助ベルトの側面図である。
【図３】本実施の形態にかかるフックの平面図及び側面図である。
【図４】本実施の形態にかかる荷物移動補助ベルトの使用説明図である。
【図５】他の実施形態にかかる荷物移動補助ベルトの平面図である。
【図６】“てこの原理”を利用した堅尺部の概念図である。
【図７】他の実施の形態における荷物移動補助ベルトの平面図である。
【図８】他の実施の形態における荷物移動補助ベルトの側面図である。
【図９】他の実施の形態における荷物移動補助ベルトの使用説明図
【図１０】他の実施の形態におけるフックの平面図及び側面図である。
【図１１】図１０に示すフックを２つ嵌め合わせた状態における側面図である。
【図１２】他の実施の形態におけるフックの平面図及び側面図である。
【符号の説明】
【００１７】
１０                  ベルト本体
２０,２１,２２        フック
２０ａ,２１ａ,２２ａ  ベルト挿通孔
２０ｂ,２２ｂ         湾曲部
２０ｃ,２１ｃ,２２ｃ  先端部
２０ｄ                返し部
３０                  アジャスター
３０ａ                ベルト孔
４０                  堅尺部
５０                  肩部
【図１】
2006051207.tif 000003
【図２】
2006051207.tif 000004
【図３】
2006051207.tif 000005
【図４】
2006051207.tif 000006
【図５】
2006051207.tif 000007
【図６】
2006051207.tif 000008
【図７】
2006051207.tif 000009
【図８】
2006051207.tif 000010
【図９】
2006051207.tif 000011
【図１０】
2006051207.tif 000012
【図１１】
2006051207.tif 000013
【図１２】
2006051207.tif 000014